(57)【特許請求の範囲】
【請求項１】
患者が看護師を呼び出すためのナースコール子機と、呼び出しを表示する廊下灯と、呼び出しに応答するためのナースコール親機と、機器間の通信を制御する制御機とを有し、別途設けられたオーダリングシステムから患者情報を入手して記憶するナースコールサーバを備えたナースコールシステムにおいて、
看護師及び医師のＩＤ情報、及び看護師及び医師の担当患者情報を記憶するＩＤ・担当患者記憶手段を有する一方、
前記廊下灯に、患者情報を画像表示する表示手段と、入力操作を受けて看護師或いは医師のＩＤ情報を入手するＩＤ情報入手手段とを設け、
更に前記ＩＤ情報入手手段が入手したＩＤ情報から人物を特定するＩＤ特定手段と、
特定した人物に関連する患者情報のうち前記オーダリングシステムからの変更情報を選択してＩＤ情報を受信した前記廊下灯の前記表示手段に最初に表示させる表示制御手段とを設けたことを特徴とするナースコールシステム。
【請求項２】
看護師毎の業務情報を作成する業務情報作成手段、及び作成した業務情報を記憶する業務情報記憶手段を有し、
前記表示制御手段は、前記ＩＤ特定手段が特定した人物が看護師である場合に、当該看護師に関連する業務情報を前記業務情報記憶手段から入手して前記表示手段に表示させる制御を行うことを特徴とする請求項１記載のナースコールシステム。
【請求項３】
前記廊下灯には、前記表示手段に表示された情報を見た人物が確認操作するための表示確認手段が設けられ、
前記表示制御手段は、患者情報或いは業務情報を表示中に前記表示確認手段が操作されたら、その表示情報をその後表示制御しないことを特徴とする請求項１又は２記載のナースコールシステム。
【請求項４】
前記廊下灯は、前記表示確認手段が操作されたら、日時、場所等の情報を前記ナースコール親機或いは前記ナースコールサーバに送信する通信制御部を備え、
前記ナースコール親機或いは前記ナースコールサーバは、受信した日時、場所等の情報を記憶する確認情報記憶部を有することを特徴とする請求項３記載のナースコールシステム。
【請求項５】
前記ＩＤ情報入手手段が、ＲＦＩＤを構成するＲＦＩＤ受信機であって、看護師或いは医師がＩＤ信号を発信するＩＤカードを携行し、ＩＤ情報入手手段が翳されたＩＤカードからＩＤ信号を受信してＩＤ情報を入手することを特徴とする請求項１乃至４の何れかに記載のナースコールシステム。
【発明の詳細な説明】
【技術分野】
【０００１】
本発明は、ナースコールシステムに関し、特に患者からの呼び出しを表示する廊下灯に患者情報を画像表示するディスプレイを備えたナースコールシステムに関する。
【背景技術】
【０００２】
従来より、患者からの呼び出しを表示する廊下灯に患者情報を画像表示するディスプレイを備えたナースコールシステムがある（例えば、特許文献１参照）。このようなナースコールシステムは、ナースコール親機により廊下灯で表示される患者情報が設定され、センサ動作或いは直接表示操作することでディスプレイに、廊下灯に関連付けられた病室の患者情報が表示された。
【０００３】
一方で、ナースコール親機に蓄積される患者情報は、通常ナースコールサーバから入手されるが、ナースコールサーバに蓄積される患者情報は別途設置されているオーダリングシステムから定期的に或いはデータが変更される度に情報の送信を受けて更新されるよう構成されている。
【特許文献１】特開２００６−２１０２９号公報
【発明の開示】
【発明が解決しようとする課題】
【０００４】
ディスプレイを廊下灯に設けて患者情報を表示可能とした上記ナースコールシステムは、看護師や医師が患者に接する前に必要な情報を廊下灯から入手することができ、的確な処置をするのに有効であったし、必要無い時はディスプレイを待受画面等にして患者情報を消しておくことができるのでプライバシーの保護を図ることができた。
しかしながら、従来のナースコールシステムにおいては、廊下灯に表示された患者情報は、予めナースコール親機に保存された情報であり、更新操作を別途行わなければ最新の情報に更新されることがなかったし、更新操作を実施して、最新の情報を表示するよう操作したとしても、見た人に対して変更情報であることを認識させることができなかった。また、患者情報が変更されてもその患者の病室に対応した廊下灯を操作しなければ、変更情報を確認することができなかった。
【０００５】
一方、看護師は患者を巡回したり、呼び出しを受けて必要な処置を行う時間が長く、ナースステーションに居る時間が少ない。そのため、業務情報等の連絡事項が発生したら、個々の看護師が携行する携帯端末を使用すれば速やかな伝達が可能であるが、複数の人に伝達する必要が有る場合は面倒であるし、携帯端末の表示スペースは小さいため、確認作業が面倒な場合が多く看護師の負担増が懸念された。
【０００６】
そこで、本発明はこのような問題点に鑑み、請求項１は、所定の表示操作を行うことで、廊下灯に設けたディスプレイに表示される患者情報をオーダリングシステムにより更新された情報のみにでき、而も変更された患者情報は担当看護師で有れば任意の廊下灯で確認できるナースコールシステムを提供することを目的とする。
そして、請求項２では、更に看護師に対する業務連絡が発生したら、任意の廊下灯で確認することができ、而も看護師個々に関連付けられた情報のみ確認することができるナースコールシステムを提供することを目的とする。
【課題を解決するための手段】
【０００７】
上記課題を解決する為に、請求項１の発明は、患者が看護師を呼び出すためのナースコール子機と、呼び出しを表示する廊下灯と、呼び出しに応答するためのナースコール親機と、機器間の通信を制御する制御機とを有し、別途設けられたオーダリングシステムから患者情報を入手して記憶するナースコールサーバを備えたナースコールシステムにおいて、看護師及び医師のＩＤ情報、及び看護師及び医師の担当患者情報を記憶するＩＤ・担当患者記憶手段を有する一方、廊下灯に、患者情報を画像表示する表示手段と、入力操作を受けて看護師或いは医師のＩＤ情報を入手するＩＤ情報入手手段とを設け、更にＩＤ情報入手手段が入手したＩＤ情報から人物を特定するＩＤ特定手段と、特定した人物に関連する患者情報のうちオーダリングシステムからの変更情報を選択してＩＤ情報を受信した廊下灯の表示手段に最初に表示させる表示制御手段とを設けたことを特徴とする。
この構成によれば、任意の廊下灯において、ＩＤ入力操作をした看護師等が判別され、その人物に関連付けられた患者情報のうち更新された情報が表示手段に表示される。よって、看護師や医師は、自分の担当患者に関する変更情報を廊下灯を見て確認することができ、看護業務をスムーズに行うことが可能となるし、医師は変更が伝達されていることを確認できる。
【０００８】
請求項２の発明は、請求項１に記載の発明において、看護師毎の業務情報を作成する業務情報作成手段、及び作成した業務情報を記憶する業務情報記憶手段を有し、表示制御手段は、ＩＤ特定手段が特定した人物が看護師である場合に、当該看護師に関連する業務情報を業務情報記憶手段から入手して表示手段に表示させる制御を行うことを特徴とする。
この構成によれば、患者情報だけでなく業務情報も廊下灯に表示されるので、巡回することが多くナースステーションに留まることの少ない看護師に対して連絡手段を確保することができる。そして、廊下灯の表示手段は看護師が携行する携帯端末に比べて画面を大きくできるので、読み易くでき看護師の負担を軽減できるし、連絡漏れを防ぐことができる。
【０００９】
請求項３の発明は、請求項１又は２記載の発明において、廊下灯には、表示手段に表示された情報を見た人物が確認操作するための表示確認手段が設けられ、表示制御手段は、患者情報或いは業務情報を表示中に表示確認手段が操作されたら、その表示情報をその後表示制御しないことを特徴とする。
この構成によれば、ある廊下灯で表示が確認されたら、その後は他の廊下灯も含めて表示しないよう制御するので、最新の情報のみ表示することが可能となる。よって、同じ情報が何度も表示されることがなくなり、確認漏れを防ぐことができる。
【００１０】
請求項４の発明は、請求項３に記載の発明において、廊下灯は、表示確認手段が操作されたら、日時、場所等の情報をナースコール親機或いはナースコールサーバに送信する通信制御部を備え、ナースコール親機或いはナースコールサーバは、受信した日時、場所等の情報を記憶する確認情報記憶部を有することを特徴とする。
この構成によれば、廊下灯で確認された日時等の情報がナースコール親機或いはナースコールサーバに履歴として記録されるので、別途確認履歴を作成することなく確認履歴の管理ができる。
【００１１】
請求項５の発明は、請求項１乃至４の何れかに記載の発明において、ＩＤ情報入手手段が、ＲＦＩＤを構成するＲＦＩＤ受信機であって、看護師或いは医師がＩＤ信号を発信するＩＤカードを携行し、ＩＤ情報入手手段が翳されたＩＤカードからＩＤ信号を受信してＩＤ情報を入手することを特徴とする。
この構成によれば、別途ＩＤ認証のためにＩＤ番号を入力したり、指紋認証等の為に手を所定場所に押し付けたりすることなく、自身が担当する患者情報或いは業務情報を確認することができるので、看護師等に新たな負担が発生しない。
【発明の効果】
【００１２】
本発明によれば、任意の廊下灯において、ＩＤの入力により接近した看護師等が判別され、その人物に関連付けられた患者情報のうち更新された情報が表示手段に表示される。よって、看護師等は自分の担当患者に関する変更情報を廊下灯を見て確認することができ、看護業務をスムーズに行うことが可能となる。
また、患者情報だけでなく業務情報も廊下灯に表示させることで、巡回することが多い看護師に対して連絡手段を確保することができる。
【発明を実施するための最良の形態】
【００１３】
以下、本発明を具体化した実施の形態を、図面に基づいて詳細に説明する。図１は、本発明に係るナースコールシステムの一例を示す構成であり、１（１ａ，１ｂ）は患者が看護師を呼び出す為に個々のベッドやトイレ等に設置されたナースコール子機、２は病室毎に設置されて呼び出しを表示する廊下灯、３は患者からの呼び出しに応答するためにナースステーションに設置されたナースコール親機、４は機器間の通信を制御する制御機、５は患者情報・医療情報等を管理するオーダリングシステム、６はオーダリングシステム５から患者情報を読み込んで蓄積するナースコールサーバ、７は看護師が携行して患者からの呼び出しに応答するための携帯端末、８は携帯端末７と通信する基地局、９は携帯端末７との通信を制御するＰＢＸ交換機、１０は看護師や医師が携行してＩＤ情報を無線発信するＩＤカードである。
【００１４】
ナースコール子機１は子機伝送線Ｌ１を介して廊下灯２に接続され、廊下灯２は廊下灯伝送線Ｌ２を介して制御機４に接続され、ナースコール親機３は親機伝送線Ｌ３を介して制御機４に接続されると共に、通信線Ｌ４でナースコールサーバ６に接続されている。また、ＰＢＸ交換機９は交換機伝送線Ｌ５を介して制御機４に接続され、ナースコールサーバ６は通信線Ｌ６を介してオーダリングシステム５に接続されている。
【００１５】
図２は廊下灯２の回路ブロック図を示している。この図２に示すように、患者情報等を表示する液晶ディスプレイ（廊下灯ＬＣＤ）１３、廊下灯ＬＣＤ１３の表示を制御するＬＣＤコントローラ１４、患者情報記憶部１５、看護師に対する業務情報を記憶する業務情報記憶部１６、ＩＤカード１０が発信するＩＤ情報を受信するＩＤ受信部１７、看護師や医師のＩＤ情報を記憶するＩＤ・担当患者記憶部１８、呼び出しを表示する表示灯１９、廊下灯ＬＣＤ１３の表示内容を確認した際に操作される確認ボタン２１、廊下灯２を制御するＣＰＵ（廊下灯ＣＰＵ）２２、制御機４及びナースコール子機１と通信するためのインターフェース（廊下灯ＩＦ）２３を備えている。
【００１６】
図３はナースコール親機３のブロック図を示している。この図３に示すように、患者情報等を表示する液晶ディスプレイ（親機ＬＣＤ）３０、親機ＬＣＤ３０の表示を制御するＬＣＤコントローラ３１、患者情報記憶部３２、看護師に対する業務情報を記憶する業務情報記憶部３３、マイク及びスピーカを備えた通話部３４、確認ボタン２１の操作情報を記憶する確認情報記憶部３５、看護師や医師のＩＤ情報を記憶するＩＤ・担当患者記憶部３７、キーボードやタッチパネルから成る操作部３８、ナースコール親機３を制御するＣＰＵ（親機ＣＰＵ）３９、制御機４及びナースコールサーバ６と通信するためのインターフェース（親機ＩＦ）４０を備えている。
【００１７】
ナースコール親機３の患者情報記憶部３２には、接続されたナースコール子機１に対応する全ての患者の患者情報が記憶され、具体的に、名前、性別、年齢、救護区分、感染症情報、外泊／在室／外出情報等が患者毎に記憶されている。そして、廊下灯２の患者情報記憶部１５には、その病室にいる患者の患者情報が記憶されている。一方、廊下灯２とナースコール親機３のＩＤ・担当患者記憶部１８，３７は同一の情報が記憶され、看護師、医師等のＩＤ情報が記憶されている。
【００１８】
また、ＩＤカード１０はＩＤ情報を発信するＩＣチップを内蔵したカードであり、廊下灯のＩＤ受信部１７と対を成してＲＦＩＤを構成し、ＩＤ受信部１７が発信する問い合わせ信号を受けてＩＤカード１０はＩＤ信号を発信する。但し、ここでは通信距離は３０ｃｍ程度に設定されている。
【００１９】
このように構成されたナースコールシステムの動作は以下のようである。但し、ナースコール子機１により患者がナースコールし、その呼び出しにナースコール親機３又は携帯端末７で応答する基本動作動作は従来と同様である為説明を省略し、図４の動作フローを基に廊下灯２の廊下灯ＬＣＤ１３での患者情報等の表示動作を中心に説明する。
【００２０】
まず、オーダリングシステム５において患者情報が変更される（例えば、投与した薬の種類や、看護するにあたっての注意事項等が変更されたり追加される）と、オーダリングシステム５からナースコールサーバ６に対して患者ＩＤ等の情報と共に変更された患者情報が送信される。尚、このデータ送信は逐次或いは定期的に実施される。
【００２１】
この変更データを受信したナースコールサーバ６は、自身のデータを変更すると共に、変更情報をナースコール親機３に送信する。こうして、変更情報を受信（Ｓ１）したナースコール親機３は、親機ＣＰＵ３９の制御により、患者情報記憶部３２に変更情報であることを示すヘッダ等を付して患者情報記憶部３２に記憶すると共に、各廊下灯２，２・・に対して変更情報を送信し、廊下灯２の患者情報記憶部１５に記憶される（Ｓ２）。
【００２２】
また、ある看護師に連絡事項が発生した場合には、ナースコール親機３（或いはナースコールサーバ６）において、看護師等により操作部３８が操作されて連絡のための業務連絡が作成され、業務情報記憶部３３に保存される。そして、親機ＣＰＵ３９は、この保存操作を受けて業務連絡の情報を、各廊下灯２，２・・に送信し、夫々の廊下灯２の業務情報記憶部１６に記憶される（Ｓ２）。尚、業務連絡に関する情報には、通知対象の看護師ＩＤが付与されていることはいうまでもない。
【００２３】
このように情報が記憶された状態において、看護師或いは医師が携行するＩＤカード１０が廊下灯２のＩＤ受信部１７に翳されると、ＩＤ受信部１７がＩＤカード１０から送信される看護師或いは医師のＩＤ情報を読み取る。このＩＤ情報を受けて廊下灯ＣＰＵ２２は、ＩＤ・担当患者記憶部１８に記憶されたＩＤ情報と照合（Ｓ３）し、照合によりＩＤ情報に関連する情報が記憶されていれば、即ち変更された担当患者の情報、更には看護師の場合は業務情報記憶部１６に記憶された自己宛の業務情報が有れば（Ｓ４）、その情報を取り出して、廊下灯ＬＣＤ１３に表示制御する（Ｓ５）。尚、記憶された情報がなければ、通常の病室内の患者氏名等の情報が表示される（Ｓ９）。
【００２４】
その後、廊下灯ＬＣＤ１３に表示された内容を確認した看護師或いは医師が、確認ボタン２１を押して確認操作を行う（Ｓ６）と、廊下灯ＣＰＵ２２は、確認した日時、廊下灯ＩＤ等の情報を含む確認情報をナースコール親機３に送信（Ｓ７）し、ナースコール親機３の確認情報記憶部３５に確認履歴として記憶（Ｓ８）される。その後、廊下灯２の表示は通常の患者情報の表示に切り替わる（Ｓ９）。
【００２５】
そして、確認された情報が患者情報の変更情報である場合は、親機ＣＰＵ３９の制御により、確認された情報が全廊下灯２，２・・から削除される。また、ナースコール親機３に記憶されている変更情報は、変更情報であることを示すヘッダ等が消去されて他の変更されていない患者情報と共に患者情報記憶部３２に記憶される（但し、複数の看護師が担当している患者の変更情報である場合はこの限りではない）。
一方、確認された情報が業務情報である場合は、親機ＣＰＵ３９の制御により確信された業務情報が全ての廊下灯２，２・・から削除される。
【００２６】
これにより、確認済みの看護師或いは医師が他の廊下灯２でＩＤ認証をしても廊下灯ＬＣＤ１３に再度表示されることがなくなり、確認する度に同一内容が表示されことがなくなる。但し、ナースコール親機３では確認情報を消去せずに保存を継続させることで、内容をわすれた場合には、ナースステーションに戻ってナースコール親機３にて確認することが可能となるので、支障をきたすことがない。
【００２７】
このように、任意の廊下灯において、ＩＤ入力操作をした看護師等が判別され、その人物に関連付けられた患者の情報のうち更新された情報が表示手段に表示されるので、看護師や医師は、自分の担当患者に関する変更情報を廊下灯を見て確認することができ、看護業務や診察を無駄なくスムーズに行うことが可能となるし、医師は変更内容が伝達されたことを確認できる。
また、患者情報だけでなく看護師に対しては業務情報も廊下灯に表示されるので、巡回することが多くナースステーションに留まることの少ない看護師に対して連絡手段を確保することができ、連絡漏れを防ぐことができる。
更に、ある廊下灯で表示が確認されたら、その後は他の廊下灯も含めて表示しないよう制御するので、最新の情報のみ表示することができ、同じ情報が何度も表示されることがなくなり、確認漏れを防ぐのに効果を奏するし、廊下灯で確認された日時等の情報がナースコール親機に履歴として記録されるので、別途確認履歴を作成することなく確認履歴の管理ができる。
また、ＲＦＩＤによりＩＤ認証を行うことで、別途ＩＤ認証のためにＩＤ番号を入力したり、指紋認証等の為に手を所定場所に押し付けたりすることなく、自身が担当する患者情報或いは業務情報を確認することができるので、看護師等に新たな負担が発生しない。
【００２８】
尚、廊下灯２での患者情報の表示は所定時間経過すると消えて待ち受けにもどり、表示が継続されることはない。また、確認ボタン２１は、専用のボタンを設けなくとも良く、例えば従来より設けられている復旧ボタン（図示せず）の長押しにより確認信号を送信するよう構成しても良い。
また、上記実施形態では、廊下灯２に各種情報を記憶させているが、ナースコール親機３又はナースコールサーバ６にのみ記憶させ、看護師ＩＤ或いは医師ＩＤが照合された時点で患者情報等をナースコール親機３或いはナースコールサーバ６から読み出して、廊下灯２に表示させても良い。この場合、一度廊下灯２で確認が成された情報は、同一ＩＤの看護師或いは医師の操作に対してはナースコール親機３またはナースコールサーバ６から廊下灯２に情報を送信しなければよい。
また、ナースコール親機に確認情報記憶部３５を設けて確認履歴を記録しているが、この確認履歴記憶部３５はナースコールサーバ６に設けても良い。
【図面の簡単な説明】
【００２９】
【図１】本発明に係るナースコールシステムの一例を示す構成図である。
【図２】図１の廊下灯のブロック図である。
【図３】図１のナースコール親機のブロック図である。
【図４】廊下灯の表示制御の流れを示すフローチャートである。
【符号の説明】
【００３０】
１・・ナースコール子機、２・・廊下灯、３・・ナースコール親機、４・・制御機、５・・オーダリングシステム、６・・ナースコールサーバ、１０・・ＩＤカード、１３・・廊下灯ＬＣＤ（表示手段）、１５・・患者情報記憶部、１６・・業務情報記憶部、１７・・ＩＤ受信部（ＩＤ情報入手手段、ＲＦＩＤ受信機）、１８・・ＩＤ・担当患者記憶部、２１・・確認ボタン（表示確認手段）、２２・・廊下灯ＣＰＵ（ＩＤ特定手段、表示制御手段、通信制御部）、３０・・親機ＬＣＤ、３２・・患者情報記憶部、３３・・業務情報記憶部、３５・・確認情報記憶部、３７・・ＩＤ・担当患者記憶部、３８・・操作部（業務情報作成手段）、３９・・親機ＣＰＵ。
【図１】
0005107628.tif 000002
【図２】
0005107628.tif 000003
【図３】
0005107628.tif 000004
【図４】
0005107628.tif 000005